(57)【要約】      （修正有）【課題】商品見本を従来の照明手段による場合に比してはるかに明るく見えるようにする。【解決手段】ＬＥＤランプ３と導光板４とをもって構成する照明部２の前面に、商品見本の保持手段７をもって直接的に商品見本９を保持する。商品見本の保持手段７は、導光板４の前面に、保持する商品見本９に対応する数の枠部７Ａを設け、該枠部７Ａに、商品見本９の周縁部に形成された保持用突片９Ａを差し込んで保持する切欠部８を設けることによって構成する。磁石等の止着固定手段を用いて既存の自動販売機における商品見本の展示スペース内の壁面に設置する。【選択図】図２
0003144393.tif 000002
【実用新案登録請求の範囲】
【請求項１】
ＬＥＤランプと、該ＬＥＤランプからの光を側面から入射して前面に面発光する導光板とをもって照明部とし、前記導光板の前面に、透光性を有し、周縁部に保持用突片を形成してなる商品見本の保持手段を備えてなることを特徴とする自動販売機用商品見本展示装置。
【請求項２】
商品見本の保持手段が、導光板の前面に、保持する商品見本に対応する数の枠部を設け、該枠部に、商品見本の周縁部に形成された保持用突片を差し込んで保持する切欠部を設けることによって構成してなる商品見本の保持手段である請求項１記載の自動販売機用商品見本展示装置。
【請求項３】
照明部が、導光板として背面に光を拡散させる多数の凹部を形成した導光板を用い、且つ該導光板の背面に光反射シートを取着すると共に該導光板の前面に光拡散シートを取着してなる照明部である請求項１又は２記載の自動販売機用商品見本展示装置。
【考案の詳細な説明】
【技術分野】
【０００１】
本考案は自動販売機用商品見本展示装置に関するものである。
【背景技術】
【０００２】
自動販売機の外扉の前面には商品見本の展示スペースが設けられ、この展示スペースに透光性を有する商品見本が並置されている。そして、該商品見本は背面側に設置された照明装置によって背後から照明されるようになっている。
【０００３】
また、斯かる商品見本の照明装置としては、従来照明用の光源として蛍光灯やＬＥＤランプと導光板とを組み合わせたもの（特許文献１）が用いられている。
【０００４】
【特許文献１】特開２００２−３５８５６０号公報
【考案の開示】
【考案が解決しようとする課題】
【０００５】
しかし、従来の商品見本の照明装置は、商品見本を背後から照明するものであるが、照明装置と商品見本との間に空間があり、両者が離れていることから、照明装置による照明が減じられて商品見本の明るさについて充分な満足が得られないという問題点があった。
【０００６】
本考案は上記の点に鑑みなされたものであって、ＬＥＤランプと導光板とをもって構成する照明部の前面に、直接的に商品見本を保持し、照明部による照明が直近から商品見本に照射されるようになして、従来に比してはるかに明るくすることができるようになし、加えて磁石その他の適宜の止着固定手段を用いて既存の自動販売機における展示スペース内の壁面に簡単に着脱することができるようになした自動販売機用商品見本展示装置を提供しようとするものである。
【課題を解決するための手段】
【０００７】
而して、本考案の要旨とするところは、ＬＥＤランプと、該ＬＥＤランプからの光を側面から入射して前面に面発光する導光板とをもって照明部とし、前記導光板の前面に、透光性を有し、周縁部に保持用突片を形成してなる商品見本の保持手段を備えてなることを特徴とする自動販売機用商品見本展示装置にある。
【０００８】
また、上記構成において、商品見本の保持手段として、導光板の前面に、保持する商品見本に対応する数の枠部を設け、該枠部に、商品見本の周縁部に形成された保持用突片を差し込んで保持する切欠部を設けることによって構成してなる商品見本の保持手段としてもよい。
【０００９】
また、上記構成において、照明部として、導光板として背面に光を拡散させる多数の凹部を形成した導光板を用い、且つ該導光板の背面に光反射シートを取着すると共に該導光板の前面に光拡散シートを取着してなる照明部としてもよい。
【考案の効果】
【００１０】
本考案は上記の如き構成であり、ＬＥＤランプと導光板とをもって構成する照明部の前面に、直接的に商品見本を保持するようになしたものであるから、照明部による照明が直近から商品見本に照射されることになり、もって従来に比してはるかに明るくすることができるものである。
【００１１】
加えて、磁石その他の適宜の止着固定手段を用いて既存の自動販売機における商品見本の展示スペース内の壁面に簡単に着脱することができるものである。
【００１２】
また、商品見本の保持手段として、導光板の前面に、保持する商品見本に対応する数の枠部を設け、該枠部に、商品見本の周縁部に形成された保持用突片を差し込んで保持する切欠部を設けることによって構成してなる商品見本の保持手段とした場合には、既存のあらゆる商品見本に対応することができ、また着脱も簡単に行うことができるものである。
【００１３】
また、照明部として、導光板として背面に光を拡散させる多数の凹部を形成した導光板を用い、且つ該導光板の背面に光反射シートを取着すると共に該導光板の前面に光拡散シートを取着してなる照明部とした場合には、照明部による面発光を一層明るくすることができるものである。
【考案を実施するための最良の形態】
【００１４】
以下、本考案に係る自動販売機用商品見本展示装置を実施するための最良の形態について、図面を参照して説明する。
【００１５】
図１は本考案の実施形態に係る自動販売機用商品見本展示装置の一部省略して示した正面図、図２は同部分拡大図、図３は図１中Ａ−Ａ線拡大断面図、図４は分解断面図、図５は部分拡大斜視図、図６は商品見本の斜視図である。
【００１６】
図中、１は自動販売機用商品見本展示装置である。２は前記自動販売機用商品見本展示装置１における照明部である。また、該照明部２は、複数のＬＥＤランプ３、３、３・・・と、該ＬＥＤランプ３、３、３・・・からの光を側面（本実施形態にあっては下部側面）から入射して前面に面発光する導光板４とをもって構成している。
【００１７】
また、該照明部２は、本実施形態にあっては、前記導光板４として背面に光を拡散させる多数の凹部４ａ、４ａ、４ａ・・・を形成した導光板を用い、且つ該導光板４の背面に光反射シート５を取着すると共に該導光板４の前面に光拡散シート６を取着して構成している。尚、前記ＬＥＤランプ３、３、３・・・はＬＥＤ基板３Ａに所定間隔で設けられ、また該ＬＥＤ基板３Ａは取付枠３Ｂをもって前記導光板４の下部に固着されている。
【００１８】
７は商品見本の保持手段である。また、該商品見本の保持手段７は、本実施形態にあっては、前記導光板４の前面に、保持する商品見本に対応する数の枠部７Ａ、７Ａ、７Ａ・・・を設け、該枠部７Ａ、７Ａ、７Ａ・・・に、商品見本の周縁部に形成された保持用突片を差し込んで保持する切欠部８を設けることによって構成している。尚、前記枠部７Ａは、導光板４の前面に窪みを形成して設けてもよいし、或いは導光板４とは別体の枠体を該導光板４の前面に一体的に接着して設けてもよい。斯かる商品見本の保持手段７によれば、既存のあらゆる商品見本に対応することができ、また着脱も簡単に行うことができる。
【００１９】
９は透光性を有し、周縁部に保持用突片９Ａ、９Ｂを形成してなる商品見本である。尚、該保持用突片９Ａは両側縁部の中央からやや上部寄りの位置に、また保持用突片９Ｂは両側縁部の下部に夫々形成されている。
【００２０】
而して、本実施形態において前記商品見本９を保持するときには、該商品見本９の胴部を両側から若干押しつぶした状態において枠部７Ａ内に入れ、先ず下にずらして保持用突片９Ｂを枠部７Ａの下側の切欠部８内に差し込み、その後手を緩めて商品見本９の復元弾性力によって保持用突片９Ａを枠部７Ａの高さ方向の途中部の切欠部８内に差し込むものである。また、商品見本９を取り外すときには、前記と逆の手順にて行うものである。これにより、商品見本９は照明部２における導光板４の前面に、直接的に保持されるものである。したがって、照明部２による照明が直近から商品見本９に照射されることになり、もって従来に比してはるかに明るくする事が出来るものである。
【００２１】
また、図示はしないが、磁石その他の止着固定手段を用いて既存の自動販売機における商品見本の展示スペース内の壁面に簡単に着脱することもできるものである。この場合には、例えば照明部２の背部に磁石（図示せず。）を固着し、自動販売機における商品見本の展示スペース内の壁面に磁力によって吸着させたり、或いはクランク形の板とネジを用いてネジ止めするものである。
【図面の簡単な説明】
【００２２】
【図１】本考案の実施形態に係る自動販売機用商品見本展示装置の一部省略して示した正面図である。
【図２】同部分拡大図である。
【図３】図１中Ａ−Ａ線拡大断面図である。
【図４】分解断面図である。
【図５】部分拡大斜視図である。
【図６】商品見本の斜視図である。
【符号の説明】
【００２３】
１  自動販売機用商品見本展示装置
２  照明部
３、３、３  ＬＥＤランプ
４  導光板
５  光反射シート
６  光拡散シート
７  商品見本の保持手段
７Ａ、７Ａ、７Ａ  枠部
８  切欠部
【図１】
0003144393.tif 000003
【図２】
0003144393.tif 000004
【図３】
0003144393.tif 000005
【図４】
0003144393.tif 000006
【図５】
0003144393.tif 000007
【図６】
0003144393.tif 000008